(57)【要約】      （修正有）【解決手段】小さなローラーを列状に配置し、回転させることで装置を小型化し、重要な部分は、液を通さない幕で被い、磁石を利用して鉄とアルミなどは分類し、蓋３は機械の作動中は決して開かぬ機構とする。【効果】小型の軽い装置で、缶やペットボトルをつぶすことができるため、ゴミ捨ての箱に、つぶす装置を設けることができるため、多くのところに設置でき、缶、ペットボトルの体積が小さくなり、ゴミ集めなどの、ゴミ処理が簡単になり、ゴミ処理費用も安くなり、運搬費用も安くできる。【選択図】図１
2007301582.tif 000002
【特許請求の範囲】
【請求項１】
断面が円形又は断面が凹凸のある円形の筒状又は棒状のローラーを複数、前記断面がほぼＶ字型になるように配置し、前記ローラーは回転するようにしたことを特徴とする、缶又はットボトルつぶし装置。
【請求項２】
断面が円形又は断面が凹凸のある円状の筒状又は棒状のローラーを複数、前記断面が列状になるように、二列左右配置し、右側と左側の列の間に缶又はペットボトルを入れ、前記二列に配置したローラーの間隔を狭めるように構成したことを特徴とする、缶又はペットボトルつぶし装置。
【請求項３】
断面が円形又は断面が凹凸のある円状の筒状又は棒状のローラーを複数、前記断面が列状になるように、二列左右配置し、右側の列のローラーをバネなどにより左側のローラーの方向に引く又は押すようにし、左側の列のローラーをバネなどにより右側のローラーの方向に引く又は押すようにし、左右のローラーの間隔が変わるようにしたことを特徴とする、缶又はペットボトルつぶし装置。
【請求項４】
缶又はペットボトルつぶし装置において、前記缶又はペットボトルつぶし装置に缶又はペットボトルを投入するための投入口を設け、前記投入口に蓋を設け、前記缶又はペットボトルつぶし装置が缶又はペットボトルをつぶすように作動しているとき、前記投入口が開かぬようにしたことを特徴とする、缶又はットボトルつぶし装置。
【請求項５】
缶又はペットボトルつぶし装置において、前記缶又はペットボトルつぶし装置に缶又はペットボトルを投入するための投入口を設け、前記投入口に蓋を設け、前記缶又はペットボトルつぶし装置に缶又はペットボトルをつぶす装置を設け、前記投入口に缶又はペットボトルを投入し、前記蓋が閉まると、前記缶又はペットボトルをつぶす装置が作動し、前記缶又はペットボトルつぶし装置が作動している間、前記蓋が開かぬようにし、前記缶又はペットボトルつぶし装置の作動が終了後前記蓋が開くようにしたことを特徴とする、缶又はペットボトルつぶし装置。
【発明の詳細な説明】
【技術分野】
【０００１】
缶やペットボトルなどをつぶし、小さくすることに関する。
【背景技術】
【０００２】
近年自動販売機が多く設置され、自動販売機のみならず、缶やペットボトルが多く販売されており、販売された缶やペットボトルは、中身が飲まれた後捨てられるが、缶やペットボトルを捨てる箱などが多く置かれているが、つぶすことなく捨てるられており、つぶされていれば、運搬がらくで運搬コストも安くなり、多くの面で都合がよくなる。しかし、現在に至って、捨てる箱に、つぶす装置の備わった機械を見ることがなく、駅や高速道路のサービスエリアなど、多くの人が集まるところでは、ゴミを処理する人を雇ってゴミを処理しているが、缶、ペットボトルの大きさが大きく、小さく圧縮すれば処理費用が低くなるが、未だこのような機械が現れていないのが現状である。
【発明の開示】
【発明が解決しようとする課題】
【０００３】
本発明が解決しようとする問題点は、缶やペットボトルのようなものをつぶす場合、それを機械に投入する人が、手などを挟まれ怪我をするおそれがあり、特に子供のはその恐れがあり、  缶やペットボトルには多くの場合、糖分を含んだ液体があり、それを飲み捨てるが、糖分が含まれているため、圧縮すると機械の圧縮するところに糖分が付着し、そこにゴミや缶やペットボトルがくっついてしまい、機械が作動しなくなるという問題があり、さらに、飲み干していない、糖分を含んだ飲料の入っているものを機械に投入すると、飲料が機械に圧縮され、周りに飲料が飛び散る。缶やペットボトルが入るポリ袋を内部設けているものがかなりあり、すると飲料もポリ袋に入り、缶やペットボトルと飲料が分離せずすべてポリ袋に入り、問題があり、さらに屋外に設置したものは、缶ペットボトルを投入する穴から、特に風の強いときなど雨が入る恐れもあり、その雨もポリ袋に入り、問題がある。
【０００４】
さらに缶やペットボトルをつぶす方法は、圧縮すればよいのだが、例えば四角い箱ような仕切られた空間に缶などを入れ、どこかの壁を移動させて、つぶす場合、前記糖分のため缶などがくっつき、あるいは糖分が機械に付着し、機械故障の原因になり、また、ペットボトルのキャップをしたまま機械に投入すると、中の空気は出口を失い、圧縮のため大きな音を出して破裂するので、周囲に居る者は音の衝撃を受け、回転ローラーでつぶすと、ローラーの大きさを大きくしないと、缶やペットボトルがローラーに入らず、装置が大型で重くなってしまうという問題を有する。
【課題を解決するための手段】
【０００５】
缶やペットボトルを投入する投入口は、缶やペットボトル投入後蓋を閉めると、缶やペットボトルをつぶす行程が終了するまで口は開かないようにし、飲み残しの液体は、つぶした缶やペットボトルと分離して別のタンクに貯蔵し、周りに飛び散る液体は、缶ペットボトルをつぶす部分以外はカバーを設け、重要な機械部分には付着しないようにし、、ペットボトルは先の鋭利なものでペットボトルを刺し、中の空気を抜く孔を開けその後つぶすようにし、ローラーは、小さなローラーを複数個並べ、ローラーが大きくなくとも、十分缶ペットボトルをつぶせるようにする。
【発明の効果】
【０００６】
本発明により、小型の軽い装置で、缶やペットボトルをつぶすことができるため、ゴミ捨ての箱に、つぶす装置を設けることができるため、多くのところに設置でき、缶、ペットボトルの体積が小さくなり、ゴミ集めなどの、ゴミ処理が簡単になり、ゴミ処理費用も安くなり、運搬費用も安くできる。
【発明を実施するための最良の形態】
【０００７】
断面の小さいローラーを複数個列状に配置し、前記列状に配置したものを２列にし、その間に、缶やペットボトルを入れ、ローラーを回転させて、缶やペットボトルをつぶし、投入口の蓋は、缶やペットボトルを投入すると、バネなどの力で蓋は閉まり、機械の作動中は決して開かぬ装置とし、糖分の液体などは、受ける装置を設け、缶やペットボトルと分離し、ペットボトルには先端の鋭利なもので刺すようにする。
【実施例】
【０００８】
本発明の実施例、図１から図１２までを符号と共に説明する。図１はローラーをＶ型に配置した簡略図で、点線で示した２はケースで、そこに点線で示した蓋３が設けられており、上方より点線で示した缶４などを入れると、下方に落ちてゆき、凹凸のあるローラー１Ａのところにゆく、そのローラー１Ａの間隔は、大きな缶が入る間隔であり、凹凸のため、矢印方向に回転すると、缶は少しつぶされ、凹凸の摩擦でさらに下方に押しやられ、次の凹凸のあるローラーに挾まれ、さらに最後の凹凸のないローラー１Ｂところに押しやられ、さらに圧縮されて下方に落ちることとなり、つぶしの動作は終了する。ローラーの前後は図示しないが、回動自在に固定されていおり、さらに図示しないバネで常に押されており、つぶれないものが入って来た場合、バネのため、下方のローラーの間隔が開き、つぶれないものを通過させるようになっている。
【０００９】
図２は、列状に配置したローラーの間隔が図のように平行に配置したもので、図に見るように、缶４がローラー１Ａ、１Ｂの間に入るため、図のようにケース２とローラーの間隔を小さくでき、そのため装置が小型化される。この場合、蓋は図１のようには開かず、図の前後方向に開閉させなければならない。この場合、缶４が下方に落ちるため、図示しないが、落ちないようにストッパーを設け、図３、図４で説明するローラーが、缶などをつぶす動作開始すると、ストッパーは缶の通路からはずれるようになっている。もっとも簡単な缶の受けを図示しないが説明すると、図２の缶４の下に薄い鉄板製で、上下に幅があり、図前方は回動自在にピンで結合し、バネで缶の底を受けるようになっており、缶は空なので軽く、バネの力で十分受け止められ、ローラーで挟まれて回転すると、ローラーで下方に押され、缶の方がつぶされても厚さがあついので、缶の受けは前記ピンを軸に回転し、缶の通路から外れ、ローラーの間隔がもとの間隔に戻れば、前記バネの力で元に戻り、また缶を受け止めるようになっている。
【００１０】
図３は、図２に示すように、缶又はペットボトル４がローラー１の間に入ると、各ローラーの両端はローラー固定部材６Ａで、図のように回動自在に固定され、ローラー固定部材６Ａの上方はピン５で回動自在に位置を固定され、下方は点線で示すワイヤー３０で、図下方中央矢印方向に引くと、ワイヤーにつながれたローラー固定部材６Ａの下方が矢印方向に引かれるため、点線で示したローラーが図のように実線で示すように、下方の間隔が小さくなり、当然缶４はつぶされ、図１に示したような状態となり、ローラー１の回転で缶はつぶされ、下方に落下する。図４は、列状に配置したローラーが平行のまま間隔が縮むもので、左側のローラーは、図示しないが回動自在に固定されており、右側のローラーは、ローラー固定部材６Ｂに回動自在に固定され、その右側に、図のようにピン５で回動自在に結合し、位置を固定されたアーム７があり、その先にローラー８が回動自在に固定され、図のようにローラー固定部材６Ｂと接しており、ピン５部分は移動しないように固定されていりため、この状態で、図示しないワイヤー３０で図３で示したように、アーム７のローラー８側の方を、ピン５側の方向に引けば、ローラー８が、ローラー固定部材６Ｂを左方向に押し、実践で示したローラーは点線で示したように、反対側のローラーに近づき、そこでローラーを回転させれば、図示しないが、中に入れた缶４はつぶされ下方に落ちることとなる。
【００１１】
図５は、図の前後方向に列状にローラーを配置したもので、上方のみに示すがローラー固定部材６Ｂに各ローラーが回動自在に固定されており、図示しないが、当然下方も同じように固定されており、そのため、缶４は上方から入れても良く、前後方向から入れても良く、その都合に合わせて入れれば良く、前述したように、図示しないワイヤー３０で上方のローラー固定部材６Ｂを互いのローラー方向に引けば、図Ａに示した状態から図Ｂに示した状態に間隔が縮まる。ローラーの回転は、図Ａの下方に示した１０Ａと記したギヤで、２個が互いに噛み合っており、そのギヤに図示しないギヤが回転の動力を伝えるために噛み合っている。そのためギヤは回転し、その回転は、シャフト２６でローラーに伝わり、ローラーが回転し、そのシャフト２６は、図のように曲がるが、それはその曲がる部分がユニバーサルジョイント９でつながれているためである。前述のように、ワイヤー３０で上方のローラー固定部材６Ｂを互いに中央側に引けば、図Ａの状態から図Ｂの状態にローラーの間隔が縮まり、ローラーを回転させれば、缶はつぶされ、ローラーから出て落下する。
【００１２】
ではどのように各ローラーを回転させるかを説明すると、図６に示したのは、歯を省略して円状に示したギヤであるが、各ローラーは点線で示すように、上方と下方、その中央の３個のギヤがローラーを回転させるために使用されており、その間にあるギヤ２個はアイドラギヤで、そのためローラーは全部同じ方向に回転し、図５に示すギヤ１０Ａと同じ方向の回転となり、図示しないモーターからの動力がギヤを介してギヤ１０Ａに伝わるようになっている。
【００１３】
図７はケース２に蓋３を設け、そのケース２の中にギヤが図に示すように収められており、缶４で蓋３を押すと、蓋３が点線で示すように開き、缶４を押し入れると、落下して、ローラー１Dの上に乗ることとなり、図示しないが、各ローラーははすべてギヤで動力が伝えられるので、回転するようになっており、その回転で、Ｖ字型に配置したローラー１Ａ、１Ｂのほうに押され、そこで缶４は押しつぶされ、さらにローラーの回転で、次のローラー１Ｃのところにゆき、ローラー１Ｃは磁石になっており、そのため鉄製の缶は下に落ちずに、ローラー１Ｃに吸い付けられ、その回転のため左側に移動し、さらに磁石でないローラー１Ｄのところまでゆき、さらにローラー１Ｄの回転のより、矢印のところでつぶされた鉄製の缶４は落下することとなり、一方、アルミなどの鉄でない缶４は、ローラー１Ａ，１Ｂを通過すると、磁石にはくっつかないため、ローラー１Ｂを通過するとすぐに、矢印のところで落下することとなり、このようにして、鉄やアルミニュームは分けることができる。なお、ローラー１Ｄはローラーでなく、ベルトを回転させても良く、ローラー１Ｃは磁力を持つベルトを使用しても良い。
【００１４】
図８は、図のようにケース２の中に缶つぶし装置が設けられた図で、これは図１に示したようなものであるが、必ずしもこのようでなけらなならぬことはなく、図７のようなものでもよいのだが、缶の中にまだ飲み残しの液体が入っている場合、それをつぶすと中の液体が周りに出て、缶といっしょに袋などに入り、あるいは外に出しておいた場合など、特に風などが強ときの雨は中に入り込む恐れがあり、その雨も缶と共に下の袋１１などに入るため、つぶす装置の下に、図Ａのように液を通さない幕１２を張れば、液は矢印方向に流れ、袋１１などには入らぬこととなる。しかし幕１２のため、つぶされた缶が下に落下せず、幕に引っかからぬように、図Ｂに示すように、つぶされた缶が落下するところに、ガイド１３を設け、そのガイドのところを幕１２を図に示したように隙間を設け、その隙間に、矢印方向に缶を落下させればよく、そのところに袋などを設ければ、缶は袋の中に収まることとなる。さらに図Ｂに示すように、ケース２の周りに液が流れるように、雨どいのようなものを設ければ、液はそこを流れ、もっとも低くしたところに、漏斗１４を設け、そこに図のようにホースなどを取り付ければ、液はホースを流れ、ホースをケースの外に出そうが、内部に液をためるタンクを設けるなどし、ホースをそのタンクとつなげば良く、缶と液を分離できる。
【００１５】
図９に示すのは蓋３で、ここから缶などを投入するが、もしこの中に手などを入れ、機械のローラーなどに手を挟まれると、大変な大怪我となる。そこで、蓋は機械の作動が終了するまで決して開いてはならず、これらの作動を図９から図１２で説明すると、まず、図９の図Ａに示したケース２に回動自在に連結部１８で連結された蓋３があり、その蓋３から缶４を投入し、蓋３が閉まると、蓋は電気スイッチ２１Ａを押し、そのため図１０に示したスイッチ２１Ａが作動し、電気はスイッチ２１Ｂも通過して電磁石２２が磁力を持ち、そのため図９の図Ｂに示した鉄製の棒１７が電磁石に引かれ、その棒は、先端に小さなローラー１６を持ち、回動自在に、取り付け部材２０で取り付けられているため、電磁石２２引かれた棒１７は、点線で示した位置に移動し、先端のローラー１６が蓋３を後ろで押さえ、決して蓋が開かぬようになり、このとき棒１７は電気スイッチ２１Ｃを押し、作動させるため、電気は図１０に示す電気スイッチ２１Ｄも通過し、モーター３４が作動し、前述したように、モーターの力がギヤを介し、さらにローラーの回転で缶がつぶされる。
【００１６】
図１１の図Ａは、モーターからの回転をシャフト２６Ａが伝え、そこに設けたウォームギヤ２５を動かし、ウォームで回転させられるウォームホイールと同じ軸に図Ｂに示す右側下方の欠けた円状の回転体２７があり、そのためウォームホイールと同じ回転を回転体２７がすることとなり、図のように矢印方向に回転すると、その下に棒２８があり、左側は回動自在に固定され、回転体２７の回転のため、棒２８は点線の位置まで下降し、棒２８の先には、端が固定部２３に固定されたワイヤー３０が図のようにあり、さらにロット３１が回動自在に取り付けられており、そのためワイヤー３０が引っ張られ、前述した列状のローラーの間隔が狭められ、そして、ロット３１の先は、図１２に示すようにクラッチがあり、図Ａに示すように円状のクラッチ板３２Ａと３２Ｂの２つあり、その間隔が開いており、向き合ったところに凹凸部３３Ａと３３Ｂがあり、それは図Ｂに示すように先端がとがっており、ロット３１に押されたクラッチ板３３Ａは向かい合うクラッチ板３３Ｂに近づき、さらに凹凸部３３Ａと３３Ｂが噛み合うため、モーターの回転はシャフト２６Ａから伝わり、クラッチ板３２を介し、筒状のシャフト２６Ｂに伝わり、そこから図示しないが、そのシャフトにギヤがあり、そのギヤを介して、前述のようにローラーを回転させる。
【００１７】
図１１のＢの回転体２７が回転するが、図の上方の部分、つまり円状の部分が棒２８を下方に押し続ける間、クラッチが働き、缶をつぶすローラーが回転し、缶などをつぶし終える。すると、回転体２７が元の位置に戻ると、棒２８に図のように取り付けられたバネ２９の働きで、棒２８はもとの実線で示した位置に戻り、ロット３１とクラッチ板３２Ａは図のように回転はするが抜けないようになっており、そのためクラッチ板３２Ａも戻り、クラッチが切れ、ローラーの回転が止まり、そのとき図Ａのウォームホイールにある凸部２４がスイッチ２１Ｄと２１Ｂを押し、すると図１０に示すように、スイッチ２１Ｄは電気を通さなくなり、つまり点線で示した方にスイッチが変わり、モーターに電気がゆかなくなり、モーター３４は停止し、同時にスイッチ２１Ｂも電気を通さなくなり、ここも点線で示した方にスイッチが変わり、電磁石２２の働きも止まり、図９のＢに示すように、片側を固定部２３で固定されたバネ２９の働きで先端にローラー１６を持つ棒１７は下降し、実線で示したもとの位置に戻り、蓋３から外れ、蓋が再び開くようになり、缶４などを投入できるようになり、缶つぶしの行程は終了する。ここで、蓋は図示しないバネで常にケース側に押されているようになっており、常に蓋は閉まった状態になっている。次に作動する場合、缶投入で蓋が開き、そして蓋が閉まると、スイッチ２１Ａは点線の方に変わるため、電気が通じ、電磁石が作動し、スイッチ２１Ｃも点線側に変わり、電気を通じ、モーターを動かし、缶つぶしをし、同じことを繰り返す。
【００１８】
以上本発明の説明をしたが、蓋は缶などをつぶす動作中は決して開かぬことで、ここで説明したように、蓋３を押さえることで、蓋３が開かぬようになってからでなくては、モーターに通じるスイッチが働かないので、決して作動中に蓋が開き、手などが誤って入り怪我をするということは決してない。機構は、このようなものでなくとも、このように動作すればよいものであり、タイムスイッチなどを利用しても、一定の時間ローラーを作動させ、停止させることができ、糖分を含む液体が装置を故障させやすくなるが、図で説明しなかったが、重要な部分は液を通さない幕で被えば、重要な部分に糖分の液が付着することはなくなる。
【図面の簡単な説明】
【００１９】
【図１】ローラーを列状にＶ型に配置した図
【図２】ローラーを列状に平行に配置した図
【図３】図２の配列のローラーの下方の間隔を縮めた図
【図４】図２の配列のローラーを上方下方共に縮めた図
【図５】上方から見れば平行の配置だが測方から見ればＶ型の配置の図
【図６】ギヤの配置図
【図７】缶ペットボトルの流れを示した図
【図８】液体を受ける図
【図９】蓋の説明図  ＡはＢの側面図  ＢはＡの側面図
【図１０】電気関係の配線図
【図１１】ローラー作動の説明図
【図１２】クラッチの説明図
【符号の説明】
【００２０】
１  ローラー
２  ケース
３  蓋
４  缶又はペットボトル
５  ピン
９  ユニバーサルジョイント
１０  ギヤ
１９  ストッパー
２１  スイッチ
２２  電磁石
２５  ウォームギヤ
２７  回転体
３０  ワイヤー
３２  クラッチ板
３４  モーター
【図１】
2007301582.tif 000003
【図２】
2007301582.tif 000004
【図３】
2007301582.tif 000005
【図４】
2007301582.tif 000006
【図５】
2007301582.tif 000007
【図６】
2007301582.tif 000008
【図７】
2007301582.tif 000009
【図８】
2007301582.tif 000010
【図９】
2007301582.tif 000011
【図１０】
2007301582.tif 000012
【図１１】
2007301582.tif 000013
【図１２】
2007301582.tif 000014